(57)【特許請求の範囲】
【請求項１】
本体内に構成されて商品を陳列する陳列室内を、ＬＥＤ照明装置にて照明して成るショーケースにおいて、
前記陳列室の開口を開閉自在に閉塞するガラス扉と、前記陳列室の開口縁を構成するよう前記本体に設けられ、前記ガラス扉が当接する金属製の扉枠と、該扉枠がその前面に当接する断熱材と、該断熱材に形成された中空部と、該中空部に沿って設けられ、前記ＬＥＤ照明装置の熱を前記扉枠の前記陳列室側の面に伝達するための金属製の照明取付部と、該照明取付部と前記扉枠により囲繞される空間に設けられたもう一つの断熱材とを備えたことを特徴とするショーケース。
【請求項２】
前記扉枠の前記ガラス扉側の面を加熱する電気ヒータを備え、前記ＬＥＤ照明装置の消灯時に前記電気ヒータに通電することを特徴とする請求項１に記載のショーケース。
【請求項３】
前記ＬＥＤ照明装置は電気ヒータを備え、該ＬＥＤ照明装置の消灯時に当該電気ヒータに通電することを特徴とする請求項１に記載のショーケース。
【発明の詳細な説明】
【技術分野】
【０００１】
本発明は、商品を陳列する陳列室内をＬＥＤ照明装置にて照明して成るショーケースに関するものである。
【背景技術】
【０００２】
従来より、スーパーマーケットやコンビニエンスストアには、前面が開口する断熱箱体により構成された本体内に陳列室を構成し、当該前面開口を回動自在のガラス扉により開閉自在に閉塞してなるショーケースが用いられている。このようなショーケースに用いられる扉は、閉鎖状態を適切に維持すべく、当該扉が当接する本体の開口縁には、金属製の扉枠が取り付けられていると共に、扉の開口側の外縁部には、磁石が内蔵されたパッキンが取り付けられている。
【０００３】
開口の一側を中心として回動自在に枢支される扉は、閉鎖した状態では、扉に設けられた磁石の磁力によって開口側の金属製の枠部材と密着し、冷気の漏出を効果的に防止した状態で、閉鎖状態を維持している。
【０００４】
上述したような扉枠は、外部と接すると共に、所定の温度に冷却される陳列室内と近接していることから、外部の温度と陳列室内の温度差によって結露が生じやすい。係る開口部に結露水が付着することによって、陳列室内やショーケースの設置床面等が濡れてしまう不都合や扉の開閉動作によって、結露水が飛び散る不都合が生じる。
【０００５】
そのため、従来では、このような結露の発生を未然に回避すべく、扉が当接する本体の開口縁には、金属製の扉枠の内面にヒータを埋設し、常時当該ヒータに通電することによって、扉枠のガラス扉側の面を加熱していた。
【０００６】
他方、陳列室内には、内部に陳列された商品を照明すべく、照明装置として蛍光灯やＬＥＤ照明装置が用いられていた。
【特許文献１】特開平５−３４０４７号公報
【発明の開示】
【発明が解決しようとする課題】
【０００７】
一方、照明装置として用いられている蛍光灯やＬＥＤ照明装置は、通電によりそれ自体が発熱する。陳列室内を冷却装置によって冷却して使用されているショーケースでは、当該照明装置が、陳列室内に設けられているため、点灯されることによって発熱する照明装置により、冷却装置による冷却効率が低下する問題がある。
【０００８】
そこで、顧客に有無等に応じて照明装置のＯＮ／ＯＦＦや照度の調整を行うことが考えられる。しかし、従来用いられていた蛍光灯は、冷却空間とされた陳列室内は、低温であることからＯＮに切り換えられた直後は、所定の照度を実現するのにある程度の時間が必要となる。また、ＯＮ／ＯＦＦが頻繁に行われることによって、それ自体の寿命が短くなる問題がある。
【０００９】
他方、扉枠の加熱に用いられていたヒータは、陳列室内に設けられる照明装置のＯＮ／ＯＦＦに関わらず、常時通電されていた。当該ヒータによる発熱は、陳列室内へも漏洩することから、これによっても冷却装置による冷却効率が低下する問題もある。
【００１０】
本発明は、従来の技術的課題を解決するために成されたものであり、ＯＮ／ＯＦＦによる耐久性が高く、低温環境下でも所定の照度を確保することができるＬＥＤ照明装置によって、適切な照明を実現すると共に、扉枠に生じる結露を効果的に抑制することができるショーケースを提供する。
【課題を解決するための手段】
【００１１】
本発明のショーケースは、本体内に構成されて商品を陳列する陳列室内を、ＬＥＤ照明装置にて照明して成るものであって、陳列室の開口を開閉自在に閉塞するガラス扉と、陳列室の開口縁を構成するよう本体に設けられ、ガラス扉が当接する金属製の扉枠と、この扉枠がその前面に当接する断熱材と、この断熱材に形成された中空部と、この中空部に沿って設けられ、ＬＥＤ照明装置の熱を扉枠の陳列室側の面に伝達するための金属製の照明取付部と、この照明取付部と扉枠により囲繞される空間に設けられたもう一つの断熱材とを備えていることを特徴とする。
【００１２】
請求項２の発明のショーケースは、上記発明において、扉枠のガラス扉側の面を加熱する電気ヒータを備え、ＬＥＤ照明装置の消灯時に電気ヒータに通電することを特徴とする。
【００１３】
請求項３の発明のショーケースは、上記請求項１の発明において、ＬＥＤ照明装置は電気ヒータを備え、該ＬＥＤ照明装置の消灯時に当該電気ヒータに通電することを特徴とする。
【発明の効果】
【００１４】
本発明によれば、本体内に構成されて商品を陳列する陳列室内を、ＬＥＤ照明装置にて照明して成るショーケースにおいて、陳列室の開口を開閉自在に閉塞するガラス扉と、陳列室の開口縁を構成するよう本体に設けられ、ガラス扉が当接する金属製の扉枠と、この扉枠がその前面に当接する断熱材と、この断熱材に形成された中空部と、この中空部に沿って設けられ、ＬＥＤ照明装置の熱を扉枠の陳列室側の面に伝達するための金属製の照明取付部と、この照明取付部と扉枠により囲繞される空間に設けられたもう一つの断熱材とを備えているので、ＬＥＤ照明装置は、照明取付部によって扉枠の陳列室側の面に熱交換関係に設けられることになる。係る構成により、通電によりそれ自体が発熱するＬＥＤ照明装置の熱を扉枠の陳列室側の面に伝達させることが可能となり、外気温と陳列室内との温度差により結露が生じやすい扉枠の結露を効果的に抑制することが可能となる。
【００１５】
これにより、扉枠に結露が生じることで、陳列室内やショーケースの設置床面等が濡れてしまう不都合を効果的に回避することが可能となる。また、ガラス扉の開閉動作によって、結露水が飛び散る不都合を回避することが可能となる。特に、扉枠がその前面に当接する断熱材と、この断熱材に形成された中空部とを設け、照明取付部をこの中空部に沿って設けると共に、この照明取付部と扉枠により囲繞される空間にも、もう一つの断熱材を設けているので、ＬＥＤ照明装置の熱を照明取付部により効率的に扉枠に伝達して放出することが可能となる。
【００１６】
請求項２の発明によれば、上記発明に加えて、扉枠のガラス扉側の面を加熱する電気ヒータを備え、ＬＥＤ照明装置の消灯時に電気ヒータに通電することにより、ＬＥＤ照明装置が消灯されることで、それ自体の発熱により扉枠を加熱することができない場合であっても、当該ＬＥＤ照明装置の消灯に伴い扉枠のガラス扉側の面を加熱する電気ヒータを通電することで、扉枠の結露を効果的に抑制することが可能となる。
【００１７】
また、請求項３の発明によれば、上記請求項１の発明に加えて、ＬＥＤ照明装置は電気ヒータを備え、該ＬＥＤ照明装置の消灯時に当該電気ヒータに通電することにより、ＬＥＤ照明装置が消灯されることで、それ自体の発熱により扉枠を加熱することができない場合であっても、当該ＬＥＤ照明装置の消灯に伴って電気ヒータに通電することで、発熱された電気ヒータの熱を扉枠の陳列室側の面に伝達させることで扉枠の結露を効果的に抑制することが可能となる。
【発明を実施するための最良の形態】
【００１８】
以下、図面に基づいて本発明の実施形態を詳述する。図１は本発明を適用したショーケース１の正面図、図２はショーケース１の部分拡大断面図を示している。ショーケース１は、スーパーマーケットやコンビニエンスストアなどに設置される低温ショーケースで、前面に開口した断熱箱体（断熱壁）２により本体が構成されている。
【００１９】
この断熱箱体２は、前面に開口する鋼板製の外箱３と、この外箱３内に間隔を存して組み込まれ、前面に開口する鋼板若しくは硬質樹脂製の図示しない内箱と、外箱３及び内箱間に発泡充填された発泡ポリウレタンからなる断熱材にて構成されている。
【００２０】
この内箱内に陳列室５が構成されると共に、陳列室５の前面開口６の上端から下端に渡って内部を透視可能とされる複数（本実施例では３つ）の回動式のガラス扉７、７、７にて開閉自在に閉塞されている。このガラス扉７は、扉縁部を構成する枠体７Ａと、当該枠体７Ａ内に設けられる内部を透視可能なガラス板７Ｂとから構成されており、枠体７Ａの後面には、ガスケット７Ｃが設けられている。
【００２１】
断熱箱体２の前面開口６縁には、所定間隔を存して複数（この場合、扉７が３つ設けられているため、２つ）の支柱８が上下に渡って設けられている。この支柱８は、上下に延在する柱状の断熱材４０と、該断熱材４０の前面に当接して設けられて支柱８の前面を構成する扉枠４５と、当該扉枠４５と交熱的に設けられる照明取付部４６とから構成されている。
【００２２】
断熱材４０は、横断面略中央に位置して上下に延在する中空部４０Ａが形成されている。扉枠４５は、断熱箱体２の前面開口６を開閉自在に閉塞するガラス扉７の裏面（ガスケット７Ｃ）が当接するものであり、熱良導性の金属材料により構成されている。そして、照明取付部４６は、扉枠４５と同様に熱良導性の金属材料により構成されるものであって、前端は、扉枠４５の後面に当接して設けられ、その端部が断熱材４０の中空部４０Ａに沿って後方に折曲されると共に、断熱材４０の後壁よりも所定寸法だけ後方に延在して形成されている。また、この照明取付部４６の後端は、所定角度だけ支柱８中央後方に向けて傾斜して形成されている。
【００２３】
なお、当該照明取付部４６は、後述するように、保持部材２１を介して伝達された熱を効率的に放出し、且つ、該照明取付部４６と熱交換関係に設けられる扉枠４５に伝達可能とするため、断熱材４０の中空部４０Ａのそれぞれの内壁（側面）に当接する複数（この場合２枚）の板状部材により構成しても良い。また、図中４７は、照明取付部４６及び扉枠４５後面により囲繞される空間に充填される断熱材である。
【００２４】
係る構成により、各ガラス扉７は、後面のガスケット７Ｃが前面開口６縁部と、支柱８前面を構成する扉枠４５とに密着することにより、陳列室５内を閉塞している。
【００２５】
また、陳列室５の背面及び前部には、上下に渡って棚支柱１０が立設されており、当該棚支柱１０には、複数段の棚９が架設されている。なお、当該棚支柱１０には、所定間隔を存して複数の係合孔が形成されており、棚９を架設する係合孔を変更することにより、棚９の高さ位置を変更することができる。
【００２６】
なお、本実施例では、前記支柱８の後方に対応して陳列室５の背面及び前部に棚支柱１０が設けられている。そのため、各棚９は、各ガラス扉７の後方に対応してそれぞれ複数段架設されている。
【００２７】
また、陳列室５内上部には、冷却装置Ｒ（図６のみ図示する）の冷却器と送風機が設置されている。冷却器は、別置きで設置される図示しない圧縮機及び凝縮器等と所謂冷凍サイクルを構成する冷却装置を構成するものであり、この冷却器からの冷気を送風機にて陳列室５に強制循環することによって、陳列室５内は所定の温度に冷却される。
【００２８】
次に、上記図２乃至図５を参照して陳列室５内に設けられるＬＥＤ照明装置１５について詳述する。図３はＬＥＤ照明装置１５の側面図、図４は図３の部分拡大図、図５は基板１８の部分拡大図をそれぞれ示している。
【００２９】
本実施例において、本体を構成する断熱箱体２の開口６縁内側、具体的には、陳列室５の前隅角部及び支柱８には、上下に渡ってＬＥＤ照明装置１５が設けられている。このＬＥＤ照明装置１５は、複数のＬＥＤ照明部材１６と、当該ＬＥＤ照明部材１６を保持して断熱箱体２の開口６縁内側に取り付けられる保持部材２１と、シェード３０、カバー部材３１とから構成されている。
【００３０】
ＬＥＤ照明部材１６は、図５に示すように複数のＬＥＤ素子１７と、複数の電気ヒータ（抵抗）４１が配設された基板１８により構成されており、当該基板１８は熱良導性の取付板２０に固定されている。基板１８は、長手方向に延在して構成されており、当該基板１８には、所定間隔を存して複数のＬＥＤ素子１７が取り付けられている。本実施例におけるＬＥＤ素子１７は、チップタイプの白色のＬＥＤ素子である。
【００３１】
なお、それぞれのＬＥＤ素子１７は、所定の数を一グループとして、端部に設けられたコネクタ４２に接続されており、同様に、それぞれの電気ヒータ４１を所定の数を一グループとして、ＬＥＤ素子１７に対し並列にコネクタ４２に接続されている。また、取付板２０には、保持部材２１にネジ止めにて固定するためのネジ穴が形成されている。
【００３２】
保持部材２１は、断熱箱体２の前面開口６に対し上下に延在して構成される熱良導性の金属部材である。保持部材２１は、断面略コ字状を呈しており、上下端部はカバー部材３１にて閉塞されている。この保持部材２１は、支柱８を構成する照明取付部４６、又は、断熱箱体２の前隅角部を構成する前壁後面に当接して取り付けられる。
【００３３】
即ち、保持部材２１は、略コ字状の開口部と対向する側壁２４が、後方に延在して形成される支柱８の照明取付部４６に当接して図示しないネジにて固定される。この側壁２４には、上下に渡って長く延在する複数の長孔２６・・・が形成されている。この長孔２６は、前記ＬＥＤ照明部材１６の取付板２０のネジ穴と重合して螺合により固定するための孔であり、当該長孔２６の長さ寸法だけＬＥＤ照明部材１６の上下取付位置を変更することが可能とされる（図４の矢印方向に取付位置変更可能）。
【００３４】
また、略コ字状を呈する保持部材２１の後壁には、シェード３０を係合するための係合部２７が形成されていると共に、前壁は、支柱８の断熱材４０の後方に位置し、所定角度後方に向けて折曲された反射板部２３が形成されている。
【００３５】
シェード３０は、保持部材２１内を外方から被覆するための透光性の無色透明の材料により構成されており、化粧ビスなどにより保持部材２１に着脱自在に取り付けられる。
【００３６】
係る構成により、ＬＥＤ照明装置１５の取付手順について説明する。先ず初めに、保持部材２１を断熱箱体２の開口６縁内側に取り付ける。本実施例では、それぞれのガラス扉７の両側に位置してＬＥＤ照明装置１５を取り付けるため、陳列室５の前両隅角部と、後方に延在する支柱８の照明取付部４６に取り付ける。なお、支柱８は、ガラス扉７、７間に位置して設けられるため、２つの保持部材２１を、それぞれの側壁２４が支柱８に設けられる照明取付部４６を介在して背中合わせとなるように取り付ける。また、前隅角部に設けられるＬＥＤ照明装置１５は、ＬＥＤ素子１７による照射光が陳列室５内方に向けて照射されるように取り付ける。
【００３７】
そして、ＬＥＤ素子１７が取り付けられた取付板２０を保持部材２１の側壁２４に宛がい、取付板２０のネジ穴と長孔２６とを重合させてネジにより固定する。これにより、熱良導性の材料にて構成される取付板２０、保持部材２１の側壁２４を介して、ＬＥＤ照明装置１５の基板１８は、扉枠４５の陳列室５側の面に熱交換関係に設けられている。また、上述したように、側壁２４が固定される支柱８の照明取付部４６は、所定角度だけ支柱８中央後方に向けて傾斜して形成されているので、当該ＬＥＤ照明装置１５のＬＥＤ素子１７は、前面開口６に対して平行よりも少許、陳列室５側に向けて設けられることとなる。
【００３８】
なお、本実施例では、上述した如きＬＥＤ照明部材１６を保持部材２１に複数（４つ）、取り付けている。ただし、当該ＬＥＤ照明装置１５は、前面開口６の上端及び下端に渡って構成される単一のＬＥＤ照明部材１６により構成し、取り付けられる長孔２６により上下位置を変更可能としても良いが、本実施例の如く複数のＬＥＤ照明部材１６により構成することで、生産コストの低減を図ることができると共に、取扱性の向上を図ることが可能となる。
【００３９】
また、保持部材２１の反射板部２３は、ＬＥＤ照明部材１６のガラス扉７側に位置して設けられることとなる。そして、保持部材２１の開口側には、ＬＥＤ照明部材１６を外方から被覆するためのシェード３０を取り付ける。なお、当該シェード３０は、保持部材２１の開口側に形成される係合部２７と反射板部２３の端部により着脱自在に係止され、これにより、シェード３０は、ガラス扉７と略平行よりは少許陳列室５内方に向けて取り付けられる。
【００４０】
次に、図６を参照して本実施例のショーケース１の制御装置Ｃについて説明する。本実施例の制御装置Ｃは、汎用のマイクロコンピュータにより構成されており、この入力側には、前記ＬＥＤ照明装置１５の照明スイッチ５３と、当該ショーケース１に人が接近したことを感知する人感センサ１１と、当該ショーケース１が設置される店舗内などの照度（周囲照度）を検出するための照度センサ４８と、各ガラス扉７の開閉を検出するための扉開閉スイッチ（扉開閉検出手段）４９と、陳列室５内の温度を検出するための庫内温度センサ５０が接続されている。
【００４１】
照度センサ４８は、本体２の外面、例えば天面などの周辺機器の影の影響を受けにくい位置に設けられているものとする。扉開閉スイッチ４９は、本実施例では、ガラス扉７が複数（３つ）設けられているため、それぞれのガラス扉７・・・に対応して、正面から向かって左のガラス扉７から順に、扉開閉スイッチ４９Ａ、４９Ｂ、４９Ｃが設けられている。なお、人感センサ１１については後述する。
【００４２】
そして、制御装置Ｃの出力側には、上述した如き圧縮機や送風機などから構成される冷却装置Ｒが接続されていると共に、ＬＥＤ照明装置１５のＬＥＤ素子１７及び電気ヒータ４１がそれぞれ接続されている。なお、ＬＥＤ素子１７は、インバータ５４を介して制御装置Ｃに接続されている。また、これに加えて、制御装置Ｃの出力側には、本体２の上部前面に設けられて陳列室５内の温度や、現在のモードを表示する温度表示部（温度表示手段）５１が接続されている。
【００４３】
ここで、人感センサ１１は、図７の電気回路図に示すように、人感センサ接続用の端子板３１を介して制御装置１５を構成するＬＥＤ照明制御部３２に接続されている。人感センサ１１は、例えば断熱箱体２の上部中央前面等に設けられており、内部に人感センサ自体の電源３３と、人の接近を感知して開閉される人感接点３４とを有している。電源３３には、電源端子３５が接続されていると共に、人感接点３４の両側には出力用接点端子３６と、コモン用接点端子３７が接続されている。
【００４４】
他方、ショーケース１本体に設けられる端子板３１には、第１の接続部５５と、第２の接続部５６と、第３の接続部５７が設けられている。第１の接続部５５には、ショーケース１本体側の電源及びＬＥＤ照明制御部３２に接続されており、第２の接続部５６には、ＬＥＤ照明制御部３２が接続されており、第３の接続部５７には、ショーケース１本体に設けられる照明スイッチ５３を介してショーケース１本体側の電源が接続されている。また、ショーケース１本体側の電源には、ＬＥＤ照明制御部３２と並列にＬＥＤ照明装置１５のＬＥＤ素子１７がＤＣ電源ユニット５８を介して接続されている。
【００４５】
係る構成により、人感センサ１１の電源端子３５を端子板３１の第１の接続部５５に接続すると共に、人感センサ１１の出力用接点端子３６を端子板３１の第２の接続部５６に接続し、人感センサ１１のコモン用接点端子３７を端子板３１の第３の接続部５７に接続する。これにより、本体２側の照明スイッチ５３がＯＮとされている状態では、人感センサ１１の人感接点３４のＯＮ／ＯＦＦによって、ＬＥＤ照明装置１５のＬＥＤ照明制御部３２への通電制御を行うことができ、これにより、ＬＥＤ照明装置１５を人感センサ１１のＯＮ／ＯＦＦに基づいたＯＮ／ＯＦＦ制御を行うことができる。なお、ＬＥＤ照明制御部３２は、人感センサ１１がＯＮとされた後、ＯＦＦとなった場合には、人感センサ１１のＯＦＦとなった時点から所定時間、例えば、数十秒遅延させてＬＥＤ照明装置１５をＯＦＦとする。
【００４６】
なお、当該人感センサ１１の各端子３５、３６、３７が端子板３１に接続されていない状態では、即ち、人感センサ１１を取り外した状態では、図７に示すような短絡線６０を端子板３１の第２の接続部５６及び第３の接続部５７間に接続させて、短絡させることにより、本体２に設けられる照明スイッチ５３のＯＮ／ＯＦＦ制御によって、ＬＥＤ照明装置１５のＯＮ／ＯＦＦ制御を行うことが可能となる。そのため、人感センサ１１が接続されている場合には、人感センサ１１内に設けられる人感接点３４のＯＮ／ＯＦＦ制御によってＬＥＤ照明装置１５のＯＮ／ＯＦＦ制御を行うことができると共に、人感センサ１１が接続されていない場合には、短絡線６０によって、端子板３１の各接続部を短絡させることで、本体２側照明スイッチ５３のみによって、ＬＥＤ照明装置１５のＯＮ／ＯＦＦ制御を行うことができる。
【００４７】
以上の構成により、本実施例におけるショーケース１のＬＥＤ照明装置１５の照明制御について説明する。制御装置Ｃは、先ず、当該ショーケース１が設置されている店舗内（周囲）の照度を照度センサ４８により検出し、当該照度に基づいて陳列室５に設けられるＬＥＤ照明装置１５による最大照度を決定する。本実施例では、照度センサ４８により検出される周囲の照度よりも所定の照度だけ陳列室５内が明るくなるように最大照度を決定する。
【００４８】
そして、制御装置Ｃは、上述した如く人感センサ１１が端子板３１に接続されている状態では、ショーケース１に人が接近した、即ち、ショーケース１から所定の距離範囲内に人が入ったことの前記人感センサ１１による感知出力に基づき、ＬＥＤ照明制御部３２によってＬＥＤ照明装置１５のＬＥＤ素子１７に通電を行う。そのため、原則としてＬＥＤ照明装置１５のＬＥＤ素子１７は、人感センサ１１により人が接近したことを感知していない状態では、非通電とされ、消灯されているものとする。
【００４９】
このとき、制御装置ＣのＬＥＤ照明制御部３２は、人感センサ１１による人の接近の感知に基づき、ＬＥＤ照明装置１５のＬＥＤ素子１７の通電電流／電圧を制御して消灯の状態から徐々に照度を明るくしていき、最終的には、上述の如く周囲照度に基づき決定された最大照度まで明るくする。
【００５０】
これにより、ショーケース１に設けられた人感センサ１１が人の接近を感知したことに基づき、陳列室５内を照明する各ＬＥＤ素子１７の照度を徐々に明るくすることので、急激に高い所定の照度のＬＥＤ素子１７にて照明される場合と比して、顧客の目を徐々に光に順応させることができ、眩しいなどの不都合を回避することが可能となる。
【００５１】
ここで、保持部材２１の側壁２４に固定される各照明部材１６のＬＥＤ素子１７からの光は、ガラス扉７の両側部後方より横方向（ガラス扉７に対し略平行）に向けて照射される。なお、本実施例では、上述したように断熱箱体２の開口６縁に対し少許後方（陳列室５側）に向けて傾斜して形成されている。これにより、陳列室５内に架設される棚９の前部に向けてＬＥＤ照明装置１５からの光を照射するので、指向性の高いＬＥＤ素子１７からの光を棚９の前部に向けて照射することができる。これにより、棚９上、特に最前部の商品を満遍なく良好に照明することが可能となり、商品の正面を効果的に照明することができる。従って、商品の照明効果・陳列効果の向上を図ることができる。
【００５２】
また、この場合、制御装置ＣのＬＥＤ照明制御部３２は、各ＬＥＤ素子１７を消灯の状態から除去に照度を明るくしていき、周囲の照度に基づき決定された最大照度にて陳列室５内の照明を行うことから、ショーケース１のＬＥＤ照明装置１５のＬＥＤ素子１７による明るさを、当該ショーケース１が設置される店舗内等の周囲の明るさに対応させて決定することができ、周囲の照明との違和感を回避することが可能となる。
【００５３】
これにより、適切な照度にてＬＥＤ照明装置１５により効果的に陳列室５内を照明することが可能となり、照明効果の向上を実現することができる。
【００５４】
そして、制御装置ＣのＬＥＤ照明制御部３２は、人感センサ１１が人が接近したことを検出しなくなったことに基づき、その時点から所定時間、例えば数十秒経過した後に、前記ＬＥＤ照明装置１５のＬＥＤ素子１７への通電を停止し、消灯する。
【００５５】
このように、制御装置Ｃは、人がショーケース１に接近した場合にＬＥＤ照明装置１５により明るい照度で照明を行うことから、必要以上にＬＥＤ照明装置１５が点灯されることによるランニングコストの高騰を抑制することが可能となる。
【００５６】
一方、制御装置ＣのＬＥＤ照明制御部３２は、上述した如く人感センサ１１により人の接近が感知されている間、若しくは、人の接近を感知しなくなってから所定時間経過するまでの間のＬＥＤ照明装置１５が点灯されている状態において、演出照明を実行する。
【００５７】
この演出照明では、制御装置Ｃは、ＬＥＤ照明装置１５のＬＥＤ素子１７への通電電流／電圧を制御して該照明装置１５の照度を上記最大照度と、消灯状態との間を周期的に明／暗制御する。なお、本実施例では、暗状態として消灯としているが、これに限定されるものではなく、ある最小限照度（消灯していない状態）を有する暗照度としても良い。
【００５８】
これにより、ＬＥＤ照明装置１５による照明演出効果を向上させることができ、陳列室５内の商品の販売効果を高めることが可能となる。
【００５９】
他方、上述した如くＬＥＤ照明装置１５が点灯されている状態において、何れかのガラス扉７を開放された場合には、当該扉７の開閉を検知する扉開閉スイッチ４９（４９Ａ〜４９Ｃ）による開放検知に基づき、制御装置Ｃは、対応するガラス扉７にて閉塞されている陳列室５部分の照明を行っているＬＥＤ照明装置１５のＬＥＤ素子１７への通電電流／電圧を制御して該ＬＥＤ照明装置１５の照度を暗くする。そして、対応するガラス扉７が閉鎖されたことを扉開閉スイッチ４９が検出したことに基づき、制御装置Ｃは、ＬＥＤ照明装置１５による照明をもとの照度、この場合、上記最大照度にて点灯する。
【００６０】
例えば、正面から向かって一番左側のガラス扉７が開放された場合には、扉開閉スイッチ４９Ａが当該ガラス扉７の開放を検出し、これに基づき制御装置Ｃは、当該ガラス扉７に対応して設けられているＬＥＤ照明装置１５、具体的には、陳列室５の正面から向かって左側の前角隅部に設けられるＬＥＤ照明装置１５と、当該ＬＥＤ照明装置１５と該ガラス扉７を挟んで反対側に設けられるＬＥＤ照明装置１５、即ち、正面から向かって左側に位置する支柱８の向かって左側に設けられているＬＥＤ照明装置１５の照度を暗くする。
【００６１】
これにより、制御装置Ｃは、扉開閉スイッチ４９によるガラス扉７の開放を検出した場合に、ＬＥＤ照明装置１５の照度を暗くするので、閉鎖状態のガラス扉７によって遮られていた陳列室５前方へのＬＥＤ照明装置１５による強い光が、ガラス扉７の開放によって直接顧客等の目に入ることを低減することができる。
【００６２】
従って、顧客がガラス扉７の開放動作を行っても、陳列室５内を照明するＬＥＤ照明装置１５から漏れる前方への光が顧客に照射され眩しく感じるなどの不都合を抑制することが可能となる。
【００６３】
この場合において、制御装置Ｃは、ガラス扉７の開閉動作に伴う照度変更は、徐々に行ってもよく、瞬時に行っても良い。徐々に照度を変更することで、ショーケース１全体の演出照明への違和感を緩和することができる。他方、瞬時に照度を変更することで、ガラス扉７の開放によって、それまでガラス扉７にて遮られていた陳列室５前方への光が顧客の目に入る不都合を早期に解消することが可能となる。
【００６４】
次に、当該ショーケース１の試運転時やメンテナンス時等の試運転モードの際、更には、冷却運転を伴わない非冷モードの際におけるＬＥＤ照明装置１５の照度制御について説明する。制御装置Ｃは、原則として、上述した如くＬＥＤ照明装置１５の照度制御を実行する。このとき、制御装置Ｃは、通電により発熱が生じるＬＥＤ照明装置１５のＬＥＤ素子１７の保護を行うため、ＬＥＤ照明装置１５自体が著しく劣化・故障等を招来する可能性が高い温度となると想定される庫内温度を予め高温度値として保持している。なお、当該高温度値は、任意に設定可能とされている。
【００６５】
そして、制御装置Ｃは、陳列室５内に設置されている庫内温度センサ５０の検出温度に基づき、当該温度が前記高温度値に達すると、ＬＥＤ照明装置１５のＬＥＤ素子１７への通電電流／電圧を制御して、照度を暗くする。
【００６６】
本実施例では、最大照度の５０％程度の照度とする。なお、当該照度は、これに限定されるものではなく、高温度値検出に基づき、ＬＥＤ照明装置１５を消灯としても良く、段階的にＬＥＤ照明装置１５の照度を暗くしても良い。
【００６７】
これにより、通電によるＬＥＤ照明装置１５のＬＥＤ素子１７自体からの発熱を低減することが可能となる。従って、試運転モードや非冷モードなどにおいて、陳列室５内が所定の冷却温度にまで冷却されていない状態でＬＥＤ照明装置１５の照度が明るく点灯されることにより、異常に該ＬＥＤ照明装置１５のＬＥＤ素子１７が加熱し、それ自体の劣化や故障が生じる不都合を回避することが可能となる。
【００６８】
また、制御装置Ｃは、当該高温度値検出に基づくＬＥＤ照明装置１５の照度低下（又は消灯）制御に伴い、ショーケース１の本体２に設けられた温度表示部５１にて、現在試運転モードである表示、や非冷モードである表示を行う。
【００６９】
これにより、現在、ＬＥＤ照明装置１５の照度が暗くなるように制御されていることを使用者に報知することができ、故障等によるものでないことを認識させることができる。
【００７０】
上述したようなＬＥＤ照明装置１５の照度制御を行っても、当該ＬＥＤ照明装置１５を構成するＬＥＤ素子１７は、従来照明装置として用いられていた蛍光灯に比してＯＮ／ＯＦＦによる耐久性が高く、低温環境下でもＯＮ／ＯＦＦ制御に追従して所定の照度を確保することができるため、適切な照明制御を実現することが可能となる。
【００７１】
また、ＬＥＤ素子１７は、蛍光灯に比して耐用年数が著しく長いため、照明の交換作業を不要とすることができる。そのため、交換部品の常備や交換によって排出される廃棄物の処理など煩雑な作業を不要とすることができる。
【００７２】
一方、上述した如き各ＬＥＤ照明装置１５のＬＥＤ素子１７への通電電流／電圧の制御によって、ＬＥＤ素子１７への通電が行われている場合には、当該ＬＥＤ素子１７が設けられている基板１８が発熱する。当該熱は、通電量が大きくなるに従い、大きくなる。そのため、ＬＥＤ素子１７による陳列室５内の照明が行われている際には、基板１８が取り付けられる熱良導性の取付板２０及び、当該取付板２０が取り付けられる熱良導性の保持部材２１の側壁２４に伝達される。
【００７３】
そして、この側壁２４は、金属製の扉枠４５に当接して設けられているため、ＬＥＤ照明装置１５により発生した熱は、熱交換関係に設けられる扉枠４５に伝達される。当該扉枠４５は、外部に接していることから、外気温と陳列室５内との温度差により結露が生じやすい。しかし、このように、ＬＥＤ照明装置１５により発生した熱によって扉枠４５を加温することができるため、効果的に扉枠４５の結露を抑制することが可能となる。
【００７４】
これにより、扉枠４５に結露が生じることで、陳列室５内やショーケース１の設置床面等が濡れてしまう不都合を効果的に回避することが可能となる。また、ガラス扉７の開閉動作によって、結露水が飛び散る不都合を回避することが可能となる。
【００７５】
また、ＬＥＤ素子１７への通電によって生じた熱を扉枠４５の加熱に用いることによって、円滑に当該ＬＥＤ素子１７が設けられる基板１８の放熱を実現することが可能となり、ＬＥＤ照明装置１５の劣化や故障を防止・抑制することができる。更に、これによって、陳列室５内の冷却効率の悪化を低減させることが可能となる。
【００７６】
なお、上述した如き照明（照度）制御において、ＬＥＤ照明装置１５による陳列室５内の照明が行われていない場合には、ＬＥＤ素子１７への通電による発熱を扉枠４５の加温に用いることができなくなる。
【００７７】
そのため、本実施例では、制御装置Ｃは、ＬＥＤ照明装置１５のＬＥＤ素子１７への通電が行われていない場合には、該ＬＥＤ素子１７と共に、基板１８に設けられる各電気ヒータ４１への通電を行う。
【００７８】
これにより、ＬＥＤ照明装置１５が消灯されることで、それ自体の発熱により扉枠４５を加熱することができない場合であっても、通電されることで発熱された電気ヒータ４１の熱を扉枠４５の陳列室５側の面に伝達させることで扉枠４５の結露を効果的に抑制することが可能となる。
【００７９】
従って、ＬＥＤ照明装置１５による照明が行われている場合であっても、消灯されている場合であっても、ＬＥＤ照明装置１５を構成するＬＥＤ素子１７又は電気ヒータ４１への通電が行われるため、従来の如く格別に扉枠４５に電気ヒータを埋設する必要がなくなる。特に、ＬＥＤ素子１７への通電によって扉枠４５のガラス扉７側の面を加熱することで、ＬＥＤ照明装置１５による照明時には、別途電気ヒータへの通電が不要となり、ランニングコストの低減を図ることが可能となる。
【００８０】
なお、上記本実施例では、扉枠４５を加熱する電気ヒータ４１は、ＬＥＤ照明装置１５を構成する基板１８に設けられ、当該基板１８と熱交換関係に設けられている扉枠４５の陳列室５側の面を加熱しているが、これに限定されるものではなく、図８に示すような構成としても良い。即ち、ＬＥＤ照明装置１５を構成する基板１８には、電気ヒータ４１を設けることなくＬＥＤ素子１７のみを配置し、前記支柱８を構成する扉枠４５の裏面に電気ヒータ５２を埋設しても良い。当該電気ヒータ５２は、通電により扉枠４５のガラス扉７側の面を加熱するものであり、制御装置Ｃによって、ＬＥＤ照明装置１５のＬＥＤ素子１７への通電停止に伴って通電を行う。
【００８１】
これにより、ＬＥＤ照明装置１５の消灯に伴い扉枠４５のガラス扉７側の面を加熱する電気ヒータ５２を通電することで、扉枠４５の結露を効果的に抑制することが可能となる。
【図面の簡単な説明】
【００８２】
【図１】本発明を適用したショーケースの正面図である。
【図２】図１のショーケースの部分拡大断面図である。
【図３】照明装置の側面図である。
【図４】図３の部分拡大図である。
【図５】基板の部分拡大図である。
【図６】制御装置の電気ブロック図である。
【図７】人感センサの接続を示す電気回路図である。
【図８】他の実施例としてのショーケースの部分拡大断面図である。
【符号の説明】
【００８３】
１    ショーケース
２    断熱箱体（本体）
５    陳列室
６    前面開口
７    ガラス扉
８    支柱
１１  人感センサ
１５  ＬＥＤ照明装置
１６  ＬＥＤ照明部材
１７  ＬＥＤ素子
１８  基板
２０  取付板
２１  保持部材
２４  側壁
３０  シェード
３１  端子板
３２  ＬＥＤ照明制御部
３３  電源
３４  人感接点
３５  電源端子
３６  出力用接点端子
３７  コモン用接点端子
４０  断熱材
４０Ａ  中空部
４１  電気ヒータ（抵抗）
４５  扉枠
４６  照明取付部
４８  照度センサ
４９  扉開閉スイッチ（扉開閉検出手段）
５０  庫内温度センサ
５１  温度表示部（温度表示手段）
５２  電気ヒータ
５３  照明スイッチ
５４  インバータ
５５  第１の接続部
５６  第２の接続部
５７  第３の接続部
５８  ＤＣ電源ユニット
６０  短絡線
【図１】
0005140392.tif 000002
【図２】
0005140392.tif 000003
【図３】
0005140392.tif 000004
【図４】
0005140392.tif 000005
【図５】
0005140392.tif 000006
【図６】
0005140392.tif 000007
【図７】
0005140392.tif 000008
【図８】
0005140392.tif 000009